(57)【要約】【課題】ケーブルの接続を簡単で安全に行うことができるケーブルコネクタの構造を提供する。【解決手段】  予め成型されて構成されたプラスチックの上下のケーシング１０からなり、上下のケーシング１０はお互いに掛止爪１３と掛止溝１４によって係合できる構造となっており、ケーシング１０内部にはケーブル２０の挟持固定に用いられる位置決めリブ１１、挟持溝１２および通電用の導電片１６が設けられ、接続するケーブル２０をケーシング１０の両側から内部に挿入後、ケーブル２０の接続端部２１を直接導電片１６で挟持固定してケーブル２０の接続を行うものであり、接続端部２１を束ねたり、絶縁布で被覆する必要がなく、安全で確実にケーブル接続ができる。【選択図】  図１
0003112507.tif 000002
【実用新案登録請求の範囲】
【請求項１】
予め成型された上下のケーシング内部には数個の位置決めリブおよび凹状挟持溝が相対応するように設置されて、ケーシングの両端から挿入される被覆部が削除されたケーブル接続端部をそれぞれ挟持するようにし、
上下のケーシングの内部中央位置には相対応して数個の挿設溝が設けられて該挿設溝には該ケーブル接続端部を挟持固定する導電片が設置され、上下のケーシングを係合させることによってケーブルの接続端部は前記導電片によって挟持固定されると共に電気的に接続されることを特徴とするケーブルコネクタの構造。
【請求項２】
前記ケーシングは、円形、方形または特殊な形状であることを特徴とする請求項１記載のケーブルコネクタの構造。
【請求項３】
ケーシングの一側には、鉤状の係止爪が直接形成され、他側には係止溝が設けられており、二つのケーシングはお互いに係合固定されることを特徴とする請求項１記載のケーブルコネクタの構造。
【請求項４】
前記導電片の表面は、凹凸を有する面またはざらざらした面であることを特徴とする請求項１記載のケーブルコネクタの構造。
【請求項５】
前記ケーシングの周面には、凹凸、階段状の辺縁または環状溝が設けられ、防水カバーが設置され、ケーブルを完全に被覆して防水効果を達成できることを特徴とする請求項１記載のケーブルコネクタの構造。
【請求項６】
前記ケーシング内のケーブル接続構造は、接続するケーブルの数に応じて一または複数としたことを特徴とする請求項１記載のケーブルコネクタの構造。
【請求項７】
前記二つのケーシングは、ねじによって螺合緊結されることを特徴とする請求項１記載のケーブルコネクタの構造。
【考案の詳細な説明】
【技術分野】
【０００１】
本考案はケーブルコネクタの構造に関し、主に予め成型された上下のケーシングからなり、ケーブルの数量に応じてケーシング内部にケーブルの挟持および接続に用いられる位置決めリブ、導電片および挟持溝が設置され、接続するケーブルをケーシングの両側から挿入した後、二つのケーシングによって簡単にケーブルを挟持固定することができ、ケーブルの接続端部と導電片とを安全に挟持固定でき、簡単で安全にケーブルの接続を行うことができるケーブルコネクタの構造に関する。
【背景技術】
【０００２】
ケーブルの配線を行うとき、実際のケーブルの配置に基づいてケーブルを接続する必要があり、伝統的なケーブルの接続、特に通電に使用されるケーブルの接続は実際の配線接続の必要に基づいてなされ、簡単な室内配線に関して述べると、コンセント、スイッチおよび灯具あるいは特殊な監視装置をケーブルによって連結する上での延長・接続および分岐接続などのケーブル接続は、通常図８に示すような接続方法が採用される。この方法は、適当な位置で二本のケーブル２０の被覆部を除去した後、金属の接続端部２１を適当な長さ露出させて、手またはペンチで両接続端部２１の金属線部分を捻ってより合わせ端部２２を形成し、外側から絶縁布２３で被覆し、その後突出したより合わせ端部２２を接続したケーブル２０側面に折り曲げ、さらに絶縁布２３を被覆するという方法である。
しかし、この方法では接続位置が不規則に隆起してしまい、この方法でケーブル２０を接続する場合、外観的に全ての接続部分が不規則に隆起し、非常に醜く、安全性から言っても、電流が通過するとき、より合わせ部分２２が集結しているために、熱が集中して電気抵抗が大きくなり、より合わせ部分２２のために、インピーダンスが上昇する。    さらに、被覆が不完全な場合やより合わせが不完全である場合、容易に断線や漏電が発生する。また、防湿設計が全くなされておらず、浸水したとき、漏電する危険がある。しかも、ケーブルの接続は完全に接続技術の熟練度や施工品質の確実性に委ねられ、特に水道や電気業者の施工技術は経験に基づいているので、一致した施工品質を確保することは困難であり、安全性に問題が存在し、不便である。従って、配線時のケーブル接続を如何に規格化して施工技術の難度を下げ、規格化された補助部品によって、便利で、施工技術が簡単で、施工品質を一致させることができ、従来技術によるケーブル接続の安全性を改善することは、業界の積極的な開発研究に係っている。
【特許文献１】特開２００５−３８７９９号公報
【特許文献２】特開２００３−３４６９５５号公報
【考案の開示】
【考案が解決しようとする課題】
【０００３】
本考案の目的は、対称である上下のケーシング内部にそれぞれケーブルの挟持固定を行う位置決めリブと挟持溝とを設け、上下のケーシングによってケーブルを挟持固定し、安全に導電を行う設計によって、ケーブルの接続を簡単で安全に行うことができ、外観が美しく、実用的で安全なケーブルコネクタの構造を提供することにある。
【課題を解決するための手段】
【０００４】
本考案の考案者は、従来のケーブル接続の設計と施工品質を向上することが困難であり、接続作業が熟練技術に委ねられ、品質が一致されていないなどの実際の作業における欠点に鑑み、研究改良を重ね、ついに上下のケーシング内部にそれぞれケーブルの挟持固定を行う位置決めリブと挟持溝とを設け、導電片によって接続することによって、ケーブルを簡単で安全に定位接続でき、従来のケーブル接続作業における不便さや接続品質を保持しにくいなどの安全性の問題と作業上の問題を完全に改善したケーブルコネクタの構造を案出した。
【０００５】
請求項１の考案は、お互いに接続されるケーブルと、被覆部が削除された接続端部とを含み、予め成型されて構成された上下のケーシング内部には数個の位置決めリブおよび挟持溝が対応するように設置され、ケーシングの両端から挿入されるケーブルを挟持し、挟持溝は凹状に設計されており、上下のケーシングを係合させた後、ケーブルを挟持固定でき、上下のケーシングの内部中央位置には対応するように数個の挿設溝が設けられ、挿設溝には導電片が設置され、ケーブルの接続端部は導電片によって電気的に接続されることを特徴とするケーブルコネクタの構造である。
【０００６】
請求項２の考案は、ケーシングは、円形、方形または特殊な形状であることを特徴とする請求項１記載のケーブルコネクタの構造である。
【０００７】
請求項３の考案は、ケーシングの一側には、鉤状の係止爪が直接形成され、他側には係止溝が設けられており、二つのケーシングはお互いに係合固定されることを特徴とする請求項１記載のケーブルコネクタの構造である。
【０００８】
請求項４の考案は、導電片の表面は、凹凸を有する面またはざらざらした面であることを特徴とする請求項１記載のケーブルコネクタの構造である。
【０００９】
請求項５の考案は、ケーシングの周面には、凹凸、階段状の辺縁または環状溝が設けられ、防水カバーが設置され、ケーブルを完全に被覆して防水効果を達成できることを特徴とする請求項１記載のケーブルコネクタの構造である。
【００１０】
請求項６の考案は、ケーシング内部の設計は、接続するケーブルの数量に応じて一本または複数本に対応した設計にされ、内部に設置される導電片もケーブルの数量に対応して設置されることを特徴とする請求項１記載のケーブルコネクタの構造である。
【００１１】
請求項７の考案は、二つのケーシングは、ねじによって螺合緊結されることを特徴とする請求項１記載のケーブルコネクタの構造である。
【考案の効果】
【００１２】
ケーシングとその内部に設けられた導電片によってケーブルを接続する設計によって、両端から挿入された接続端部を簡単に接続でき、ケーシングが簡単で安全にケーブルを被覆できる設計によって、作業時に熟練技術が必要なく、確実にケーブル接続における安全性を満たすことができた。
【考案を実施するための最良の形態】
【００１３】
本考案の構造特徴および目的を明らかにするために、その実施形態を図に沿って説明する。
【００１４】
図１、２、３、４、５に示すように、本実施形態は主に対称でお互いに係合できるケーシング１０からなり、その外観は必要に応じた装飾および防水の設計がなされ、円形、方形および特殊な形態にすることができる。ケーシング１０の内部は中空であり、補強およびケーブル２０を挟持するために用いられる位置決めリブ１１が数本設けられ、位置決めリブ１１に対応する位置には数個の凹状の挟持溝１２が設けられ、そこにケーブル２０が配置される。係合される上下のケーシング１０の一側には鉤状の係止爪１３が直接形成され、他側には係止溝１４が設けられており、上下のケーシング１０の内部中央位置には対応するように数個の挿設溝１５が設けられ、挿設溝１５とケーブル２０の数は同じであり、挿設溝１５には導電片１６が設置され、ケーブル２０の接続端部２１は導電片１６の位置に安全に挟持され、二組のケーブル２０が接続されて通電可能となる。
【００１５】
本実施形態におけるケーブル２０が簡単に接続される構造は、ケーシング１０によってケーブル２０を挟持することによるものであり、延長接続したいケーブル２０をケーシング１０の両側から中央位置まで挿入し、同一の導電片１６で挟持し、両側のケーブル２０を導電片１６と接続端部２１との間で接続してその目的を達成し、ケーシング１０を係合したとき、挟持溝１２と位置決めリブ１１によって挟持固定され、挿入されたケーブル２０は挟持固定されることによって断線する心配がなく、特に導電片１６表面の凹凸またはざらざらした面によって、安全で確実に接続できる。ケーシング１０の係合する周面には凹凸、階段状の辺縁または環状溝（図なし）を設け、防水カバーを設置して完全に密封して防水効果を達成し、浸水による漏電を防ぐことができる。さらに二つのケーシング１０を、ねじ穴とねじとによって螺合緊結することもできる。また、ケーシング１０は係止爪１３と係止溝１４とを係合する構造となっており、両側が相対した構造になっているので、同一の金型で製作でき、製造コストを下げることができ、しかも組立が簡単である。図６、７に示すように、ケーシング１０は接続するケーブル２０の数量に応じて一本または複数本に対応した設計にでき、ケーシング１０の構造によって、ケーブル２０接続作業を大幅に簡単にでき、接続を安全で確実に行え、便利で、外観も美しくでき、ケーブル接続の構造において全く新しい構成である。
【００１６】
以上のように、本実施形態はケーシング１０とその内部に設けられた導電片によってケーブル２０を接続する構造によって、両端から挿入された接続端部２１を簡単に接続でき、ケーシング１０が簡単で安全にケーブル２０を被覆できる構造によって、ケーブル接続を実用的で安全にでき、さらに機能を高めることができ、作業時に熟練技術が必要なく、ケーブル接続における安全性を確実に満たすことができた。
【図面の簡単な説明】
【００１７】
【図１】本考案によるケーブルコネクタの構造を示す立体分解図である。
【図２】本考案によるケーブルコネクタの構造のケーブル接続の状態を示す斜視図である。
【図３】本考案によるケーブルコネクタの構造の係合構造を示す断面図である。
【図４】本考案によるケーブルコネクタの構造の使用時におけるケーブル接続の状態を示す側面断面図である。
【図５】本考案によるケーブルコネクタの構造の使用時の状態を示す斜視図である。
【図６】本考案によるケーブルコネクタの構造を示す立体分解図である。
【図７】本考案によるケーブルコネクタの構造を示す立体分解図である。
【図８】従来技術によるケーブルコネクタの構造を示す斜視図である。
【符号の説明】
【００１８】
１０    ケーシング
１１    位置決めリブ
１２    挟持溝
１３    係止爪
１４    係止溝
１５    挿設溝
１６    導電片
２０    ケーブル
２１    接続端部
２２    より合わせ端部
２３    絶縁布
【図１】
0003112507.tif 000003
【図２】
0003112507.tif 000004
【図３】
0003112507.tif 000005
【図４】
0003112507.tif 000006
【図５】
0003112507.tif 000007
【図６】
0003112507.tif 000008
【図７】
0003112507.tif 000009
【図８】
0003112507.tif 000010